(57)【要約】【課題】床仕上げ材に機能性を付加するための部材を容易に施工でき、多様な大きさや形状の部屋にも対応可能で、かつ、使用済み材料から簡単に製造できて木質感豊かな外観を有する床仕上げ材、床仕上げ材の接合構造および床仕上げ材の製造方法を提供すること。【解決手段】樹脂を含む廃材からなる押出材を押出成形した床仕上げ材で、内部に備えた複数の中空部内に、機能性部材を適宜選択して挿入することにより、所望の機能を備えた床仕上げ材を容易に加工できるようにした。また、突起部を溝部に挿入して床仕上げ材どうしを接合する際、突起部と溝部との間に隙間が形成されるような構成として、熱による樹脂材の膨張に伴う床仕上げ材の体積増加を吸収できるようにした。また、床仕上げ材の表面に筋状の模様を形成し、表面処理を施し、質感を向上させた。【選択図】　　　　図１
2004003344.tif 000002
【特許請求の範囲】
【請求項１】
樹脂を含む押出材を押出成形してなる床仕上げ材であって、
本体部の内部に押出方向に延在する中空部が形成され、
前記本体部の一方の端部には、該本体部の上面と面一になるようにして突出する上突出部が形成されるとともに、前記本体部の下面と面一になるようにして突出する下突出部が前記上突出部より側端部側に突出するようにして形成され、
前記上突出部の下方には、断面コ字状の溝部が形成され、
前記本体部の他方の端部には、該本体部の上面と面一になるようにして延出し、かつ、本体部より厚さが薄い平板部が形成され、この平板部の側端部に突起部が形成されていることを特徴とする床仕上げ材。
【請求項２】
請求項１に記載の床仕上げ材において、
前記平板部の側端部には、平板部の上面から突起部に向けて下方に傾斜する上傾斜部が形成されていることを特徴とする床仕上げ材。
【請求項３】
請求項１または２に記載の床仕上げ材において、
前記下突出部には、溝部が上方向に開口するようにして設けられていることを特徴とする床仕上げ材。
【請求項４】
請求項１〜３のいずれか一項に記載の床仕上げ材において、
前記押出材は廃材から生成され、
表面が床仕上げ処理されてなることを特徴とする床仕上げ材。
【請求項５】
請求項１〜４のいずれか一項に記載の床仕上げ材どうしを接合してなる床仕上げ材の接合構造であって、
互いに隣接する床仕上げ材どうしは、一方の床仕上げ材の溝部に他方の床仕上げ材の突起部を挿入し、かつ、隣接する床仕上げ材どうし間に所定の隙間を隔てて接合されて、突起部上面が目地部を形成していることを特徴とする床仕上げ材の接合構造。
【請求項６】
請求項３に記載の床仕上げ材どうしを接合してなる床仕上げ材の接合構造であって、
互いに隣接する床仕上げ材どうしは、一方の床仕上げ材の溝部に他方の床仕上げ材の突起部を挿入し、かつ、隣接する床仕上げ材どうし間に所定の隙間を隔てて接合されて、突起部上面が目地部を形成しており、
前記床仕上げ材の下突出部には、それに形成された溝部で、床仕上げ材を固定するためのビスが挿通され、このビスの頭が溝部に納まっていることを特徴とする床仕上げ材の接合構造。
【発明の詳細な説明】
【０００１】
【発明の属する技術分野】
本発明は、住宅の床の上面に用いる床仕上げ材、床仕上げ材の接合構造に関するものである。
【０００２】
【背景の技術】
近年、住宅において、床上を人が歩行する際や床上に物が落下した際に、階上から階下へ騒音が伝わることがあるため、遮音性に優れた床構造としたり、建物全体を暖めるため、温水を循環させてなる暖房設備を備えた床構造とすることが知られている。このような技術として、特許文献１に記載の技術が知られている。この特許文献１には、建物の床部内に温水管を設け、この温水管に温水を流通させる一方、床部上に床仕上げ材を載置することにより、建物の床部に床暖房構造を施工する技術が示されている。
【０００３】
【特許文献１】
特開平１０−１４０７２５号公報
【０００４】
【発明が解決しようとする課題】
上記従来の技術には次のような課題があった。
第１に、特開平１０−１４０７２５号公報では、床部内に、多数の温水管を設けたうえで、この温水管の上に床仕上げ材を載置するため、配管作業が面倒であった。
第２に、天然木材を用いる床仕上げ材では、その加工に、多くの手間と時間、さらに高度な技術を要するため、所望の形状に加工することが困難であった。さらに、近年、残材等の使用済み材料の形質を変えて利用する再利用が望まれ、再利用を促進する動きが生じている。
第３に、樹脂の表面に印刷、塗装を施してなる床材を製造する場合には、印刷や塗装による木質模様に深みがなく、天然木材の持つ暖かみや質感に欠けるという不満があった。
第４に、床仕上げ材を配設すべき部屋が、変形した形状である場合、床材の敷設に際して、床材の幅や部屋の大きさなどによっては、間仕切壁の端部に沿う位置で両方の床材が過不足なく一線に揃うとは限らない。このような、床材の敷設作業は、手間や時間、経験等の熟練を要求される仕事であり、十分な作業効率および作業精度を得ることが難しかった。
本発明は上記課題を鑑みてなされるものであり、床仕上げ材に機能性を付加するための部材を容易に施工でき、多様な大きさや形状の部屋にも対応可能に製造でき、かつ、使用済み材料から簡単に製造できて木質感豊かな外観を有する床仕上げ材および床仕上げ材の接合構造を提供することを目的とする。
【０００５】
【課題を解決するための手段】
上記課題に対し、請求項１に記載の発明は、樹脂を含む押出材を押出成形してなる床仕上げ材であって、
本体部の内部に押出方向に延在する中空部４が形成され、
前記本体部の一方の端部には、該本体部の上面と面一になるようにして突出する上突出部６１が形成されるとともに、前記本体部の下面と面一になるようにして突出する下突出部６６が前記上突出部６１より側端部側に突出するようにして形成され、
前記上突出部６１の下方には、断面コ字状の溝部６２が形成され、
前記本体部の他方の端部には、該本体部の上面と面一になるようにして延出し、かつ、本体部より厚さが薄い平板部５０が形成され、この平板部５０の側端部に突起部５２が形成されていることを特徴とする。
【０００６】
請求項１に記載の発明によれば、床仕上げ材１の本体部の内部には押出方向に延在する中空部４…が形成されているので、この中空部４…により、床仕上げ材１内部に空間が形成される。したがって、中空部４…により、床仕上げ材１の上面からの振動の伝達を抑える防音効果と、床仕上げ材１の内部に空気が滞留することによる保温効果を得ることができる。
また、前記床仕上げ材１の一方の端部１ａには、溝部６２が形成され、他方の端部１ｂには突起部５２，７２，９２が形成されており、互いに隣接する床仕上げ材１，１どうしは、一方の床仕上げ材１の溝部４２，６２，８２に他方の床仕上げ材１の突起部５２，７２，９２を挿入して接合するので、接合位置を誘導でき、容易に所定の位置で接合することができる。
また、床仕上げ材１は、従来と異なり、樹脂を含む押出材を押出成形してなるので、木製とした場合に比して、押出方向において所望の長さに製造することができ、よって長スパンの床仕上げ材１を提供することができる。また、断面を様々な形状に成形できる。
なお、押出材に含まれる樹脂としては、例えば、ポリプロピレン樹脂（ｐｏｌｙｐｒｏｐｙｌｅｎｅ：以下ＰＰという）、硬質または軟質のポリ塩化ビニル樹脂（ＰＶＣ）、発泡塩化ビニル樹脂、ポリエチレンテレフタレート樹脂（ＰＥＴ）、ポリスチレン樹脂（ＰＣ）、ポリエチレン樹脂、フェノール樹脂、ウレタン樹脂、ＡＢＳ樹脂などが挙げられる。
【０００７】
請求項２に記載の発明は、請求項１に記載の床仕上げ材において、
前記平板部５０の側端部には、平板部５０の上面から突起部５２に向けて下方に傾斜する上傾斜部５１が形成されていることを特徴とする。
【０００８】
請求項３に記載の発明は、請求項１または２に記載の床仕上げ材において、
前記下突出部６６には、溝部６４が上方向に開口するようにして設けられていることを特徴とする。
【０００９】
請求項４に記載の発明は、請求項１〜３のいずれか一項に記載の床仕上げ材において、
前記押出材は廃材から生成され、
表面が床仕上げ処理されてなることを特徴とする。
【００１０】
請求項４に記載の発明によれば、床仕上げ材１を成形する押出材は、廃材から生成されているので、廃材を用いて床仕上げ材１を製造することができ、廃材を床仕上げ材１の材料として再利用することができる。また、前記床仕上げ材１の表面には床仕上げ処理が施されているので、樹脂を含む押出材にて成形されても、天然の材料を用いて製造された床仕上げ材の感触により近い床仕上げ材１とすることができる。
【００１１】
請求項５に記載の発明は、請求項１〜４のいずれか一項に記載の床仕上げ材どうしを接合してなる床仕上げ材の接合構造であって、
互いに隣接する床仕上げ材１，１どうしは、一方の床仕上げ材１の溝部４２，６２，８２に他方の床仕上げ材１の突起部５２，７２，９２を挿入し、かつ、隣接する床仕上げ材どうし間に所定の隙間を隔てて接合されて、突起部上面が目地部を形成していることを特徴とする。
【００１２】
請求項５に記載の発明によれば、互いに隣接する床仕上げ材１，１どうしは、一方の床仕上げ材１の溝部４２，６２，８２に他方の床仕上げ材１の突起部５２，７２，９２を挿入して接合するので、接合位置を誘導でき、容易に所定の位置で接合することができる。
【００１３】
請求項６に記載の発明は、請求項３に記載の床仕上げ材どうしを接合してなる床仕上げ材の接合構造であって、
互いに隣接する床仕上げ材１，１どうしは、一方の床仕上げ材１の溝部４２，６２，８２に他方の床仕上げ材１の突起部５２，７２，９２を挿入し、かつ、隣接する床仕上げ材どうし間に所定の隙間を隔てて接合されて、突起部上面が目地部を形成しており、
前記床仕上げ材１の下突出部６６には、それに形成された溝部６４で、床仕上げ材１を固定するためのビス１９９が挿通され、このビス１００の頭１０１が溝部６４に納まっていることを特徴とする。
【００１４】
【発明の実施の形態】
以下、図面を参照して本発明に係る床仕上げ材、床仕上げ材の接合構造および床仕上げ材の製造方法について説明する。床仕上げ材１は、床パネルにより構成された床部上に載置されるフローリングであり、帯板状をなし、長尺方向の辺の長さは、該床仕上げ材１を設置する部屋の対向する壁間の距離に合わせた長さを有している。また、この床仕上げ材１は、セルロース系微粉粒と樹脂とを含む押出材から形成される。
【００１５】
図１は、本発明にかかる床仕上げ材１の一例を示すものであり、押出成形時の押出方向に対して垂直に切断した場合の断面図である。図１に示すように、床仕上げ材１は、押出方向に延在する内部に複数の中空部４…が断面円形に形成されている。また、側端部１ａ，１ｂには、凸部２ａと凹部２ｂとが床仕上げ材１，１の長尺な辺に沿って形成されており、この一方の床仕上げ材１の凹部２ｂと、他方の床仕上げ材１の凸部２ａとが嵌合することによって、隣接する床仕上げ材１，１どうしは接合されるようになっている。さらに、床仕上げ材１の表面１ｃには表面装飾用の装飾目地（図示しない）が施されている。
【００１６】
続いて、床仕上げ材１を成形する押出材について説明する。前記床仕上げ材１は、不純物を含む木質廃材から得られた木質廃材粉砕粉と、不純物を含む廃プラスチック材から得られた樹脂廃材粉砕粉とを混錬して生成した前記押出材を押出成形によって成形してなり、不純物が成形品全体に対して合計で２０ｗｔ％以下含まれているものである。
【００１７】
図２は本発明に係る床仕上げ材１の一部を１０倍に拡大した際の部分断面図であり、図３は、同５００倍に拡大した部分拡大図であり、図２において、木質廃材に含まれる木粉１０２が図示され、ここではその大きさを２００μｍとしている。なお、木粉１０２はこの大きさに限定されるものではなく、１〜３００μｍであれば、いかなる大きさのものであってもよい。
【００１８】
図３に示すように、本実施の形態における床仕上げ材１には、木質廃材内の木粉１０２と、廃プラ材内の樹脂１０３とを備え、樹脂１０３には、木質廃材や廃プラ材内に含まれる不純物１０７が含有している。
【００１９】
不純物１０７は、不純物を含む木質廃材から得られた木質廃材粉砕粉と、不純物を含む廃プラスチック材から得られた樹脂廃材粉砕粉とを混錬して、押出成形によって成形した際の不純物である。
【００２０】
木質廃材に含まれる不純物として、例えば、パネル工法で使用される壁パネルに耐火材として取り付けられた石膏ボードの石膏、壁パネルや床パネル等に充填された断熱材等が挙げられる。
【００２１】
また、廃プラ材に含まれる不純物として、例えば、炭酸カルシウム、タルク、顔料、ポリエチレン（ｐｏｌｙｅｔｈｙｌｅｎｅ：以下ＰＥという）、（繊維）強化プラスチック（ｆｉｂｅｒ　ｒｅｉｎｆｏｒｃｅｄ　ｐｌａｓｔｉｃ：ＦＲＰ）などが挙げられる。なお、廃プラ材において不純物を除いたものとしては、ポリプロピレン（ＰＰ）、軟質ポリ塩化ビニル（硬質ＰＶＣ）、硬質ポリ塩化ビニル（硬質ＰＶＣ）等が挙げられる。
【００２２】
また、多数の木粉１０２は、互いに樹脂１０３により結合されており、樹脂１０３との接触部分では、樹脂１０３が浸食した状態（図では樹脂含浸で示す部分）となっている。このように木粉１０２の周縁部には樹脂１０３が浸透した状態となっているので、樹脂１０３と木粉１０２との接合力が高められ、木粉１０２に湿気が帯びにくいようになっている。また、樹脂１０３には、木質廃材や廃プラ材に含まれた、石膏、断熱材、炭酸カルシウム、タルク、顔料、ＰＥ、ＦＲＰ等が不純物として含まれた状態となっている。なお、図１０では、不純物であるＦＲＰ７、石膏１０８が図示されている。
【００２３】
図４は、本実施の形態における床仕上げ材１の原料となっている廃プラ材（樹脂廃材）、木質廃材及びこれら廃プラ材及び木質廃材に含まれていた不純物との配合の割合をベン図で示している。図４に示すように、本実施の形態における床仕上げ材１は、不純物が成形品全体に対して合計で２０ｗｔ％以下含まれているとともに、木質廃材Ｃに含まれる木質部分Ｅ、つまり木粉の部分の割合が手触り等の成形品全体に対し５１〜５５％、廃プラ材Ａに含まれる樹脂部分Ｄの割合が全体に対し２５〜３０％となっている。
【００２４】
続いて、前記押出材の配合例を図５に示す。図５では、床仕上げ材１における樹脂部分Ｄ、不純物部分Ｂ及び木質部分Ｅの割合の具体例を４つの配合番号とともに示している。
【００２５】
まず、配合番号「９９００７」では木質廃材Ｃ及び樹脂廃材Ａ（図４参照）の不純物の合計Ｂが、成形品全体の２０ｗｔ％である場合の一例を示している。このときの不純物Ｂの内訳は、石膏・断熱材の成形品全体に対する割合が５ｗｔ％、炭酸カルシウム及びタルクの成形品全体に対する割合が１１ｗｔ％、顔料その他の成形品全体に対する割合が４ｗｔ％となっている。この配合例における樹脂部分ＤはＰＰからなり、このＰＰの成形品全体に対する割合が２５ｗｔ％となり、木質部分Ｅ、つまり、木粉の成形品全体に対する割合は５５ｗｔ％となっている。
【００２６】
配合番号「９９０１６」では、木質廃材Ｃ及び樹脂廃材Ａ（図４参照）の不純物の合計Ｂが、成形品全体の１５ｗｔ％である場合の一例を示している。このときの不純物の内訳は、炭酸カルシウム及びタルクの成形品全体に対する割合が１１ｗｔ％、顔料その他の成形品全体に対する割合が４ｗｔ％となっている。このとき、樹脂部分は軟質ＰＶＣ及び硬質ＰＶＣからなり、軟質ＰＶＣの成形品全体に対する割合は１５ｗｔ％、硬質ＰＶＣの成形品全体に対する割合は１５ｗｔ％となっており、樹脂部分Ｄ全体では成形品全体に対する割合は３０ｗｔ％となっている。また、木質部分Ｅ、つまり、木粉の成形品全体に対する割合は５５ｗｔ％となっている。
【００２７】
また、配合番号「９９０２０」でも、木質廃材Ｃ及び樹脂廃材Ａ（図４参照）の不純物の合計Ｂが、成形品全体の１５ｗｔ％である場合の一例を示している。このときの不純物Ｂの内訳は、ＰＥ、炭酸カルシウム・タルク及び顔料その他を含有し、ＰＥの成形品全体に対する割合が５ｗｔ％、炭酸カルシウムの成形品全体に対する割合が５ｗｔ％、タルクの成形品全体に対する割合が６ｗｔ％、顔料その他の成形品全体に対する割合が４ｗｔ％となっている。また、樹脂部分ＤはＰＰからなり、成形品全体に対する割合が３０ｗｔ％となっており、木質部分Ｅ、つまり、木粉の成形品全体に対する割合は５５ｗｔ％となっている。
【００２８】
配合番号「０００６」では、木質廃材Ｃ及び樹脂廃材Ａ（図４参照）の不純物の合計Ｂが、成形品全体の１９ｗｔ％である場合の一例を示している。このときの不純物Ｂの内訳は、ＦＲＰ及び顔料その他からなり、ＦＲＰの成形品全体に対する割合は１５ｗｔ％、顔料その他の成形品全体に対する割合は４ｗｔ％となっている。このとき、樹脂部分ＤはＰＰからなり、ＰＰの成形品全体に対する割合が３０ｗｔ％となっており、木質部分Ｅ、つまり、木粉の成形品全体に対する割合は５１ｗｔ％となっている。
【００２９】
ところで、前記床仕上げ材１の中空部４…には機能性部材が挿入されて固定されている。前記機能性部材は、補強部材９１、遮音部材９２、床暖房部材９３，９４のうちから選択されたものである。図６は、前記床仕上げ材１の中空部４…に機能性部材を挿入している例を示す図であって、（ａ１），（ａ２）は中空部４…に補強部材９１を備えた床仕上げ材１の断面図、（ａ３）は中空部４…に遮音部材９２を備えた床仕上げ材１の断面図、（ａ４）は中空部４…に床暖房部材９３，９４を備えた床仕上げ材１の断面図である。なお、図６に示す床仕上げ材１の中空部４…は、断面積が異なる中空部４ａ，４ｂを備えている。
【００３０】
図６の（ａ１），（ａ２）では前記機能性部材として、補強部材９１を用いており、この補強部材９１は円柱状をなす芯材である。そして、この補強部材９１が断面積の大きい中空部４ａ，４ａに挿入固定されている。一方、断面積の小さい中空部４ｂ…は、機能性部材を備えない空洞となっている。これにより、該床仕上げ材１は、曲げ強度等が補強された床仕上げ材１となる。
【００３１】
図６の（ａ３）は中空部４ａ…に遮音部材９２を備えた床仕上げ材１の断面図である。この遮音部材９２は断面円形の帯状をなす合成樹脂の発泡材である。そして、この発泡材からなる遮音部材９２が前記中空部４ａ…に挿入固定されている。この遮音部材９２を床仕上げ材１の内部に備えることにより、遮音性に優れた床仕上げ材１となる。
【００３２】
図６の（ａ４）は中空部４…に床暖房部材９３，９４を備えた床仕上げ材１の断面図である。この床暖房部材９３は前記中空部４…に挿入固定されて、内部に温水が流通される温水管１２である。したがって、この温水管（床暖房部材９３）１２を前記中空部４…に挿入固定することにより、床暖房用の床仕上げ材１となる。また、この温水管１２は床暖房の熱源、例えばボイラーに接続されており、温水が流通されるようになっている。
【００３３】
上記床仕上げ材１によれば、床仕上げ材１を成形する押出材は、廃材から生成されているので、廃材を用いて床仕上げ材１を製造することができ、廃材を床仕上げ材１の材料として再利用することができる。
【００３４】
また、床仕上げ材１の内部には押出方向に延在する中空部４…が形成されているので、この中空部４…により、床仕上げ材１の内部に空間が形成される。したがって、中空部４…により、床仕上げ材１の上面からの振動の伝達を抑える防音効果と、床仕上げ材１の内部に空気が滞留することによる保温効果を得ることができる。さらに、中空部４…に所望の機能性部材を挿入すれば、所望の機能を備えた床仕上げ材１とすることができ、従来と異なり、共通の床仕上げ材１にて、それぞれの機能を備えた床仕上げ材１を容易に製造することができる。
【００３５】
さらに、床仕上げ材１は前記押出材を押出成形してなるので、中空部４…の形成や、所望の形状（例えば板状）や大きさの床仕上げ材１を製造することができ、特殊な形状の部屋や、広い部屋にも適応する床仕上げ材１が製造可能となる。
【００３６】
なお、本実施の形態の床仕上げ材１では、中空部４…を断面円形としたが、これに限定するものではなく、例えば、楕円形や四角形等の断面形状のものであってもよい。
【００３７】
次に、本発明における、床仕上げ材１の接合構造について説明する。図７は、本実施の形態における床仕上げ材１の両側端部１ａ，１ｂを示す断面図であり（ｃ）は凸部２ａを示し、（ｄ）は凹部２ｂを示している。
【００３８】
凸部２ａは、床仕上げ材１の本体部より側端部１ａ側に延出する平板部５０と、この平板部５０に連続する突起部５２とにより主要部が形成されている。平板部５０は、床仕上げ材１の上面１ｃと面一となるように側端部１ａ側に水平方向に延出している。この平板部５０に連続して、その上面５６から側端部１ａ側に向けて下方に傾斜する上傾斜部５１と、平板部５０の下面５３から側端部１ａ側へ向けて上方に傾斜する下傾斜部５４とがそれぞれ形成されている。この上傾斜部５１と下傾斜部５４とに連続して、突出する突起部５２が床仕上げ材１の下方の側壁部５５より端部側に水平方向に突出して形成されている。この突起部５２は、その上面５２ａと先端５２ｃの側面とが垂直となるように成形されているが、突起部５２の下面５２ｂは、前記下傾斜部５４の傾斜角度より小さく傾斜している。また、前記上傾斜部５１と下傾斜部５４の位置は、対称な位置ではなく、下傾斜部５４の方が、外側に位置している。
【００３９】
凹部２ｂは、上面側より下面側の方が、側端部１ｂ側に延出している。下面と面一となるようにして連続して延出している下突出部６６には溝部６４が、上方向に開口するように設けられている。また、側壁部６５は、下面に対して垂直となるように設けられている。一方、床仕上げ材１の上面１ｃと面一となるように連続し、突出している上突出部６１は、側端部１ｂ側へ向けて下方に傾斜する傾斜部６１ａを有し、上突出部６１の下方には、側端部１ｂに向けて水平方向に開口する溝部６２が形成されている。この溝部６２は、上面６２ａと、下面６２ｂとは水平に設けられており、それぞれ、内壁部６２ｃと垂直となるように形成されている。この溝部６２の下面６２ｂは、上面６２ａ（上突出部６１）の端部６１ｂより内側の位置で、垂直に曲折して水平面６３が形成され、この水平面６３と前記上方に開口する溝部６４とが連続している。
【００４０】
なお、前記凸部２ａの突起部５２の上面５２ａの長さＪと、前記凹部２ｂの上面６２ａ（上突出部６１）の端部６１ｂから溝部６２の内壁６２ｃまでの距離Ｋでは、凹部２ｂの長さＫの方が長くなるように設計されている。また、前記凸部２ａの前記突起部５２の下面５２ｂと下傾斜部５４との交点５２ｄから床仕上げ材１の本体の側壁５５までの距離ｊと、前記凹部２ｂの上突出部６１の端部６１ｂから、側端部１ｂまでの距離ｋでは、凸部２ａ側の距離ｊの方が、凹部２ｂの距離ｋより長くなるように設けられている。
【００４１】
次に、図７に示す凸部２ａと凹部２ｂとにおける床仕上げ材１，１どうしの接合構造について、図８を参照して説明する。まず、先に設置された第１の床仕上げ材１は、前記凹部２ｂの上方に向けて開口する溝部６４の位置で、ビス１００を挿通させて、床パネル３１に固定している。この第１の床仕上げ材１と接合すべき第２の床仕上げ材１を床パネル３１上に載置する際、第２の床仕上げ材１の前記突起部５２を、前記第１の床仕上げ材１の溝部６２に挿入する。前記突起部５２の下面５２ｂは傾斜しており、この突起部５２は本体側の位置程、次第に厚さが厚くなっている。したがって、前記突起部５２が溝部６２に挿入される際、突起部５２の下面５２ｂが、前記溝部６２の下面６２ｂと当接し、突起部５２が溝部６２の奥側に進入するのを妨げ、該溝部６２の内壁６２ｃと突起部５２の先端５２ｃとは当接することなく、隙間Ｓが形成された状態で接合される。また、凹部２ｂの下面側の突出する長さｋより、凸部２ａの前記平板部５０の挿入方向への長さｊの方が長く設定されており、前記凹部２ｂの側壁部６５と、凸部２ａの側壁部５５との間にも隙間Ｓが形成される。また、前記凸部の前記上傾斜部５１の側端部と、前記凹部２ｂの上突出部６１の傾斜部６１ａの側端部とが当接せず、突起部５２の上面５２ａの一部が、前記床仕上げ材１，１の上面に露出するようにして、目地部５２ｄを形成している。
【００４２】
なお、凹部２ｂの上方に開口する溝部６４の溝の深さは、前記ビス１００の頭部１０１の高さより深くなるように形成されており、前記第２の床仕上げ材１を接合すると、前記平板部５０にて、このビス１００の上方が覆われるようになっている。
【００４３】
ところで、前記床仕上げ材１が、樹脂を含む押出材から成形されているために、該床仕上げ材１が熱により温められた際に、床仕上げ材１が膨張する場合がある。図９は、図８に示す接合構造の床仕上げ材１，１が室温や床暖房の熱により膨張した状態を示す断面図である。図９に示すように、床仕上げ材１，１が膨張場合、該床仕上げ材１，１が水平方向に膨張し、接合部において、床仕上げ材１，１どうしが互いに近接してゆき、前記隙間Ｓ，Ｓを塞ぐように作用する。しかし、前記突起部５２の下面５２ｂが傾斜しているので、床仕上げ材１，１どうしがより深く嵌合するように作用しても、該突起部５２の下面５２ｂが、溝部６２の内側に当接して、突起部５２の進入を阻止する。したがって、隣接する床仕上げ材１，１どうし間に所定の隙間Ｓ，Ｓの間隔の増減によって、床仕上げ材１の膨張した量を吸収可能となる。
【００４４】
このような接合構造により、床仕上げ材１，１どうしの接合部は安定的に支持され、膨張によって床仕上げ材１，１どうしが密接して互いに押し合うことによって、床仕上げ材１，１にそりが発生することを防ぎ、また、床仕上げ材１，１の上面側から力が加わっても、該床仕上げ材１，１が上下方向に動くことがない。また、隣接して設ける第２の床仕上げ材１を配置する際に、設置位置の調整や、床仕上げ材１の寸法誤差の調整を行いやすい。
【００４５】
上記床仕上げ材１，１の接合構造によれば、前記床仕上げ材１の一方の端部１ａには、溝部６２が形成され、他方の端部１ｂには突起部５２が形成されており、互いに隣接する床仕上げ材１，１どうしは、一方の床仕上げ材１の溝部６２に他方の床仕上げ材１の突起部５２を挿入して接合するので、接合位置を誘導でき、容易に所定の位置で接合することができる。また、前記突起部５２の下面５２ｂが傾斜しているので、突起部５２が溝部６２に進入する際、突起部５２の下面５２ｂが溝部６２の下面６２ｂに当接する。これにより、前記突起部５２と溝部６２とが相互に嵌合する方向に力が働いた場合も、接合部の前記隙間Ｓ，Ｓが無くなることはなく、床仕上げ材１，１の水平方向における位置の変動を吸収できる。
【００４６】
次に、床仕上げ材１，１の接合構造の第２の例を、図１０および図１１を用いて説明する。図１０は第２の接合構造の例における床仕上げ材１，１の凸部２ａ，２ａと、凹部２ｂ，２ｂの構造を示す断面図である。図１０の（ｅ）に示すように、凸部２ａは、床仕上げ材１の上面１ｃと面一に連続する平板部７０があり、この平板部７０の上面７６から側端部１ｂ側に向けて下方に傾斜する上傾斜部７１が形成されている。この上傾斜部７１は、さらに、床仕上げ材１の本体側へ向けて下方に傾斜する傾斜部７４を備えている。すなわち、上傾斜部７１と傾斜部７４とにより、外方へやや突起する形状となる。続いて、前記傾斜部７４の下方から連続し、側端部１ｂ側に水平方向に突出する突起部７２が設けられている。この突起部７２は、その上面７２ａと先端７２ｃの側面とは垂直となるよう成形されているが、下面７２ｂは、下方に傾斜するように成形されている。さらに、前記突起部７２の下面７２ｂは、前記平板部７０の下面７３と連続している。この平板部７０の下面７３は、緩やかな弧を描いて窪んで形成されている。前記平板部７０の下面７３と床仕上げ材１の本体の側壁７５とは略垂直に曲折して連続している。
【００４７】
一方、図１０の（ｆ）は、床仕上げ材１の凹部２ｂを示す断面図である。凹部２ｂは、上面側より下面側の方が、側端部１ｂ側に延出している。床仕上げ材１の下面８７と面一に連続して延出して下突出部８６が設けられている。また、側壁部８５は、下面８７に対して垂直となるように設けられている。この下突出部８６には溝部８４が、上方向に開口するように設けられている。一方、床仕上げ材１の上面１ｃと面一となるように連続して突出している上突出部８１は、側端部１ｂ側へ向けて下方に傾斜する面取り部８１ａを有し、上突出部６１の下方には、側端部１ｂに向けて水平方向に開口する溝部８２が形成されている。この溝部８２は、上面８２ａは水平に設けられており、内壁部８２ｃと垂直となるように形成されている。一方、溝部８２の下面８２ｂは、開口部側に下方に向けて傾斜しており、前記内壁部８２ｃと鈍角を形成している。この下面８２ｂは暫く傾斜した後、水平部８３を形成し、上面８２ａ（上突出部８１）の端部８１ｂより外側の位置で垂直に曲折して、前記上方に開口する溝部６４と連続している。
【００４８】
なお、前記凸部２ａの突起部７２の側端部１ａから傾斜部７４と上傾斜部７１との交点７４ａまでの水平方向の長さＬと、前記凹部２ｂの溝部８２の内壁部８２ｃから上方に開口する溝部８４の縁８４ａまでの距離Ｍでは、凹部２ｂの長さＭの方が長くなるように設計されている。また、前記凸部２ａの前記傾斜部７４と上傾斜部７１との交点７４ａから床仕上げ材１の本体の側壁７５までの距離ｌと、前記凹部２ｂの上面８２ａ（上突出部８１）の端部８１ｂから、側端部１ｂまでの距離ｍでは、凸部２ａ側の距離ｌの方が、凹部２ｂの距離ｍより長くなるように設けられている。
【００４９】
図１１は、図１０に示した凸部２ａと凹部２ｂを備えた床仕上げ材１，１どうしの接合構造を示す断面図である。図１１に示すように、まず、先に設置された第１の床仕上げ材１を、前記凹部２ｂの上方に向けて開口する溝部８４の位置でビス１００を挿通させて、床パネル３１に固定している。この第１の床仕上げ材１と接合すべき第２の床仕上げ材１を床パネル３１上に載置する際、第２の床仕上げ材１の前記突起部７２を、前記第１の床仕上げ材１の溝部８２に挿入する。前記突起部７２の下面７２ｂは傾斜しており、この突起部７２は本体側の位置程、次第に厚さが厚くなっている。したがって、前記突起部７２が溝部８２に挿入される際、突起部７２の下面７２ｂが、前記溝部８２の下面８２ｂと当接し、突起部７２が溝部８２の奥側に進入するのを妨げ、該溝部８２の内壁８２ｃと突起部８２の先端８２ｃとは当接することなく、隙間Ｓが形成された状態で接合される。また、凸部２ａの前記平板部７０の延出する長さｌより、前記凹部２ｂの下面側の突出部分の長さｍの方が長く設定されており、凸部２ａの前記側壁部７５と、凹部２ｂの前記側壁部８５との間にも隙間Ｓが形成される。
【００５０】
また、前記凸部の前記上傾斜部７１の側端部と、前記凹部２ｂの上突出部８１の傾斜部８１ａの側端部とが当接せず、突起部７２の上面７２ａの一部が、前記床仕上げ材１，１の上面に露出するようにして、目地部７２ｄを形成している。
【００５１】
なお、凹部２ｂの上方に開口する溝部８４の溝の深さは、前記ビス１００の頭部１０１の高さとほぼ等しい深さに形成されており、前記第２の床仕上げ材１を接合すると、このビス１００の上方が、前記平板部５０の下面７３の曲線部分とビス１００の頭部１０１とが当接することなく、覆われるようになっている。
【００５２】
したがって、床仕上げ材１，１どうしの接合部は安定的に支持され、膨張によって床仕上げ材１，１どうしが密接して互いに押し合うことによって、床仕上げ材１，１にそりが発生することを防ぎ、また、床仕上げ材１，１の上面側から力が加わっても、該床仕上げ材１，１が上下方向に動くことがない。また、目地部７２ｄが形成されているので、隣接して設ける第２の床仕上げ材１を配置する際に、設置位置の調整や、床仕上げ材１の寸法誤差の調整を行いやすい。
【００５３】
本実施の形態の例における床仕上げ材１，１の接合構造によれば、互いに隣接する床仕上げ材１，１どうしは、一方の床仕上げ材１の溝部８２に他方の床仕上げ材１の突起部７２を挿入して接合するので、接合位置を誘導でき、容易に所定の位置で接合することができる。また、前記突起部７２の下面７２ｂが傾斜しているので、突起部７２が溝部８２に進入する際、突起部７２の下面７２ｂが溝部８２の下面８２ｂに当接する。これにより、前記床仕上げ材１，１を構成する樹脂が熱により温められて膨張し、前記突起部７２と溝部８２とが相互に嵌合する方向に力が働いた場合も、接合部の前記隙間Ｓ，Ｓが無くなることはなく、床仕上げ材１，１の水平方向における位置の変動を吸収できる。
【００５４】
また、前記凸部２ａの平板部７０の下面７３は、弧を描いて窪んでおり、下面７３と、ビス１００の頭部１０１との間に隙間Ｓ２が設けられているので、樹脂の膨張による床仕上げ材１，１の寸法が増加しても、該平板部７０の下面７３が、ビス１００の頭部１０１に当接して前記下面７３を圧迫することがない。
【００５５】
次に、床仕上げ材１，１の接合構造の第３の実施の形態の例を、図１３を用いて説明する。図１３は、第３の実施の形態の例における床仕上げ材１，１の凸部２ａと凹部２ｂとを接合させた接合部分を示す断面図である。凸部２ａは、床仕上げ材１の本体部より側端部１ａ側に延出する平板部９０と、この平板部９０に連続する突起部９２とにより主要部が形成されている。平板部９０は、床仕上げ材１の上面１ｃと面一となるように側端部１ａ側に水平方向に延出している。この平板部９０に連続して、その上面９６から側端部１ａ側に向けて下方に傾斜する上傾斜部９１と、平板部９０の下面９３から側端部１ａ側へ向けて上方に傾斜する下傾斜部９４とがそれぞれ形成されている。この上傾斜部９１と下傾斜部９４とに連続して、突出する突起部９２が床仕上げ材１の下方の側壁部９５より端部側に水平方向に突出して形成されている。この突起部９２は、その上面９２ａと下面９２ｂとが平行に位置し、前記上面９２ａと下面９２ｂと前記先端９２ｃの側面とが垂直となるように成形されている。また、前記上傾斜部９１と下傾斜部９４の位置は、対称な位置ではなく、下傾斜部９４の方が、外側に位置している。
【００５６】
凹部２ｂは、上面側より下面側の方が、側端部１ｂ側に延出している。下面と面一となるようにして連続して延出している下突出部４６には溝部４４が、上方向に開口するように設けられている。また、側壁部４５は、下面に対して垂直となるように設けられている。一方、床仕上げ材１の上面１ｃと面一となるように連続し、突出している上突出部４１は、側端部１ｂ側へ向けて下方に傾斜する傾斜部４１ａを有し、上突出部４１の下方には、側端部１ｂに向けて水平方向に開口する溝部４２が形成されている。この溝部４２は、水平に設けられている上面４２ａと、内壁部４２ｃとが垂直となるように形成されているが、下面４２ｂは前記溝部４４側に向けて下方に傾斜している。この溝部４２の下面４２ｂは、下方向に曲折した後、さらに水平方向に垂直に曲折して水平面４３が形成され、上面４２ａ（上突出部４１）の端部４１ｂより内側の位置で曲折して、この水平面４３と前記上方に開口する溝部４４に連続している。
【００５７】
なお、前記凸部２ａの突起部９２の上面９２ａの水平方向の長さＮと、前記凹部２ｂの溝部４２の内壁部４２ｃから上方に開口する溝部４４の縁４４ａまでの距離Ｐでは、凹部２ｂの長さＰの方が長くなるように設計されている。また、前記凸部２ａの前記傾斜部９１と上面部９２ａとの交点９１ａから床仕上げ材１の本体の側壁９５までの距離ｎと、前記凹部２ｂの上面４２ａ（上突出部４１）の端部４１ｂから、側端部１ｂまでの距離ｐでは、凸部２ａ側の距離ｎの方が、凹部２ｂの距離ｐより長くなるように設けられている。
【００５８】
次に、図１３を参照して、凸部２ａと凹部２ｂとにおける床仕上げ材１，１どうしの接合構造について説明する。まず、先に設置された第１の床仕上げ材１は、前記凹部２ｂの上方に向けて開口する溝部４４の位置で、ビス１００を挿通させて、床パネル３１に固定している。この第１の床仕上げ材１と接合すべき第２の床仕上げ材１を床パネル３１上に載置する際、第２の床仕上げ材１の前記突起部９２を、前記第１の床仕上げ材１の溝部４２に挿入する。前記溝部４２の下面４２ｂは傾斜しており、この溝部４２は側端部１ｂ側の位置程、次第に開口する広さが広くなっている。したがって、前記突起部９２が溝部４２に挿入される際、突起部９２の下面９２ｂが、前記溝部４２の傾斜する下面４２ｂと当接し、突起部９２が溝部４２の奥側に進入するのを妨げ、該溝部４２の内壁４２ｃと突起部９２の先端４２ｃとは当接することなく、隙間Ｓが形成された状態で接合される。また、凹部２ｂの下面側の突出する長さｐより、凸部２ａの前記平板部５０の挿入方向への長さｎの方が長く設定されており、前記凹部２ｂの側壁部６５と、凸部２ａの側壁部５５との間にも隙間Ｓが形成される。
【００５９】
なお、凹部２ｂの上方に開口する溝部４４の溝の深さは、前記ビス１００の頭部１０１の高さより深くなるように形成されており、前記第２の床仕上げ材１を接合すると、前記平板部９０にて、このビス１００の上方が覆われるようになっている。
【００６０】
上記床仕上げ材１，１の接合構造では、隙間Ｓ，Ｓおよび目地部９２ｄ（９２ａ）が形成されているので、床仕上げ材１，１が床暖房部材９４等の設置により加熱された場合に、樹脂が膨張しても、接合部にて、床仕上げ材１，１どうしが密接することがなく、樹脂の膨張による床仕上げ材１，１の寸法の増加分を吸収可能となる。
【００６１】
次に、本実施の形態に係る床仕上げ材１の製造方法について説明する。まず、建物躯体等として使用した建築部材を、建物の建て直し等の際、木質からなる回収木質部材すなわち、木質廃材と、樹脂からなる回収樹脂部材、つまり樹脂廃材とに分別して回収する。もちろん、回収する建築部材は、老朽化した建物の解体廃材のみではなく、新築現場において発生する廃材等も含まれる。なお、この分別作業は、人力による分別作業や、各材質の物性の違いを利用する機械分別等が用いられる。また、この分別作業が終了した段階では、建築部材の取り外し作業や、分解作業等において、建築部材はかなり分断された塊状となっている。
【００６２】
次に塊状の木質廃材と樹脂廃材とを、次工程である混合工程において、中心に複数の回転羽根を有する混合機械の内部に投入し、両者を混合する。もちろん、混合機械は他の種類のものでも良いものである。
【００６３】
この混合工程において、混合機械の内部に投入する前に、それぞれの廃材を構成する部材の重量を計測する。例えば、まず、回収した木質廃材及び樹脂廃材を混合機械に投入可能な投入容器にそれぞれ収容する。
【００６４】
なお、木質廃材の一例として、例えば、パネル工法において用いられる木質パネルなどがある。木質パネルは縦横の框材を矩形枠状に組み、この矩形枠内に補助桟材を縦横に設けることで構成された枠体と、この枠体の表裏面のうち少なくとも一方の面に取り付けられた合板などの面材とを備えている。このように木質廃材としてパネルを投入容器に入れる際には、その前段階で釘などを自動分別機などによって引き抜いておく。
【００６５】
そして、それぞれの投入容器に入れられたそれぞれの廃材の重量と、それぞれの廃材における不純物の重量とを調べる。それぞれの廃材に含まれ、それぞれの廃材に対する不純物の重量は、各廃材を構成する各構成部材の重量を予め確認しておくことで割りだせる。
【００６６】
つまり、木質廃材の場合における全体の重量は、木質廃材を構成する各構成部材の総重量であり、木質廃材における不純物の重量は、前記各構成部材のうち、木質部材を除いた部材の総重量となる。例えば、不純物を含む木質廃材が壁パネルよりなる壁体である場合、不純物の重量は、不純物を含む木質廃材の全体重量から、木質部分（木質パネル）の重量を除いた石膏ボードや、枠体内に設けられる断熱材の重量となり、木質廃材全体の重量は、石膏ボード、断熱材といった不純物の総重量に木質パネルの重量を加えたものとなる。
【００６７】
また、同様に投入容器に投入される樹脂廃材では、その総重量と、樹脂廃材のうち、樹脂製材でないものの重量を予め確認しておくことで割り出すことができる。なお、樹脂廃材の前の樹脂製品状態において、その構成部材の割合と重量が予め判っているものは、それを利用して樹脂部分の重量と不純物の重量とを割り出すことができる。
【００６８】
そして、木質廃材と樹脂廃材の総重量に対する両者の不純物の合計重量の割合が２０ｗｔ％以下となるようにする。すなわち、木質廃材に含まれる不純物、例えば、木質廃材が壁パネルであれば、不純物は石膏及び断熱材となり、これら石膏及び断熱材と、樹脂廃材に含まれる不純物、例えば、炭酸カルシウム、タルク、顔料、ＰＥやＦＲＰ等との合計重量が、壁パネルと樹脂廃材との合計重量の２０ｗｔ％以下となるように調節する。このとき、木質廃材に樹脂が含まれる場合、その樹脂の重量は両者の不純物の重量から外す。また、樹脂廃材に木粉などの木質部分が含まれる場合は、その重量は、不純物としての重量から外す。
【００６９】
次に、粉砕工程において、混合工程で混合したものを粉砕して粉砕粉を形成する。なお、この粉砕工程は、一次粉砕、二次粉砕及び三次粉砕の三段階から形成されている。もちろん、この粉砕形態は、効率的に行うために各段階に分けたもので特にこれに限定されることはなく、一種類の粉砕工程で行うことも充分可能である。
【００７０】
まず、一次粉砕工程において使用される粉砕装置は、一つの塊の大きさが数センチメートル程度のものからなる大塊状にすることができる粉砕機能を有するものであって、具体的には、二個の対向するローラーの表面に多数の突起を形成し、このローラー間を加圧させながらローラーを回転させることにより、この間を通過するものを破砕するような粉砕装置である。もちろん、粉砕装置は、これに限定されるものではなく、同様の機能を有するものであれば他の粗粉砕用の粉砕装置を使用しても良い。例えば、上向きＶ型に開いたジョーと振動アゴの間に原料を入れ、加圧することにより原料を粉砕するジョークラッシャや、固定破砕面の中を可動破砕面が旋回し、連続的に破砕するジャイレントリクラッシャ等の他の粗粉砕装置を使用しても良いものである。
【００７１】
次に、二次粉砕工程において、一次粉砕工程を終えた一次粉砕材料に対して細粉状に粉砕を施す。この二次粉砕工程に使用される粉砕装置は、大塊状のものを数ミリメートル以下にまで、細粉状に粉砕することができるものであって、具体的には、高速回転するハンマチップで材料を打ち砕き、ハンマチップの外周にあるスクリーンの丸穴を通過するまで打砕作用を繰り返すハンマミルを使用するものである。もちろん、使用する粉砕装置は、上述したハンマミルに限定されるものではなく、同様の機能を有するものであれば他の粉砕装置でも良いものである。例えば、カッターにより細断するカッターミルや、ローラーにより圧砕するロールミル等を使用しても良い。
【００７２】
次に、三次粉砕工程において、二次粉砕工程を終えた二次粉砕材料に対して微粉状に粉砕を施す。この三次粉砕工程に使用される粉砕装置は、二次粉砕工程により得られた材料を更に細かい微粉状に粉砕することができるものである。具体的には、いわゆるピンミルであって、円盤に取り付けられたピンによって、衝撃、反発の相互作用を受けて微粉砕を施すことができるものである。更に具体的には、このピンミルは、垂直方向に多数のピンを有する円盤状の回転ディスクと、この回転ディスクに向かい合う面に多数のピンを有する固定ディスクとを備え、二次粉砕工程により得られた材料を回転ディスクの中心部へ投入すると、遠心力によって回転ディスクと固定ディスクに取り付けられたピンの間隙に入り込み、ピンによる衝撃や反発の相互作用を受けて微粉状に粉砕することができるものである。
【００７３】
この三次粉砕工程では、上述したピンミルにより、約６０ミクロンメートル程度の大きさの粒に粉砕される。もちろん、粉砕装置は、上述したピンミルに限定されるものではなく、同様の機能を有する他の細粉砕装置、例えば、ボールミルや石臼等でも良いものである。
【００７４】
上述したような粉砕工程において、回収した建築部材を三段階に分けて、粉砕が段階的に効率的に行われる。なお、特に図示していないが、一次粉砕及び二次粉砕後にふるいをかけて、既に所定の粒度に微粉砕されているものは、直接、粉砕粉の貯留場所に送給されるように設定されている。次に、混練工程において、粉砕工程で得られた粉砕粉を各部材からの粉砕粉が均一に分布するように混練して押出材を生成する。その際、必要に応じて、複数の顔料や回収材でない樹脂粉を投入して混練しても良いものである。その際、木粉の粒径が１〜３００μｍとなるように粉砕される。なお、この実施の形態では２００μｍとなるように、木質廃材を粉砕している。
【００７５】
そして、成形工程において、所望の形状を成形するための金型（図示せず）を周知の押出成形機にセットし、生成した押出材に所定の温度及び圧力を加えて、押出成形機により押出成形することによって所望の形状に成形する。金型は上下一対の成形部を備えており、この成形部は成形すべき床仕上げ材１の断面形状と同形状である。また、前記成形部は、成形すべき床仕上げ材１，１の下面を互いに対向させた状態の形状をなしている。
【００７６】
なお、前記金型のうち、床仕上げ材１の表面１ｃにあたる箇所に、前記筋状の模様１０と同様の模様が設けられている。このような金型を取り付けた前記押出成形機にて、押出材を押出成形すると、図１３および図１４に示すように、表面に微細な目地である筋状の多数の模様１０…が押出成形によって押出方向に沿って形成されており、床仕上げ材１の表面を立体的に形成している。この筋状の多数の模様１０…の深さは、様々であるが最大で０．５ｍｍ程度である。
【００７７】
なお、図１３および図１４では、筋状の模様１０…はそれを図で表現するために深さと幅を実際より大きく描いているが、実際は上述したように深さが最大で０．５ｍｍ程度、幅は最大で０．３ｍｍ程度のものである。
【００７８】
その後、押出成形された床仕上げ材１の表面１ｃには、筋状の模様１０…が形成される。そして、図１４に示すように、床仕上げ材１の表面１ｃをさらにサンディングペーパーやサンディング板、あるいは砥石等によって０．３ｍｍ程度擦り取ることによって、筋状の模様１０…のエッジ部分１０ａ…を削り平らにする。このようにして、床仕上げ材１の表面１ｃが木材と類似する質感となるように床仕上げ処理を行う。さらに、この床仕上げ材１にカラーサンディングシーラー、ＵＶコート、コーディング等の塗装を施すことにより、木目模様をより立体的にする。
【００７９】
その後、予め用意しておいた機能性部材（補強部材９１、遮音部材９２、床暖房部材９３，９４）を床仕上げ材１の中空部４…に挿入し、接着剤等にて固定し、製造工程が終了する。
【００８０】
この成形工程においては、成形温度を１６０〜２２０度に設定し、この成形温度で成形されている。ここで、成形工程における成形温度を１６０〜２２０度に設定したのは、１６０度未満では、樹脂粉の軟化が不充分で、木粉と均等に混錬し難く、また２２０度以上では木粉が熱で炭化等の変化を起すためである。
【００８１】
このように成形温度を１６０〜２２０度に設定したので、粉砕工程において得られた木質廃材粉砕粉のうちの木粉を成形工程において熱で変化させることなく、しかも、樹脂廃材粉砕粉のうちの樹脂粉を十分に溶融し軟化させて、木粉と均等に混錬することができ、これによって、床仕上げ材１を容易かつ確実に得ることができる。このような作業工程を経ることで回収した木質廃材及び樹脂廃材を用いた床仕上げ材１を得ることができる。
【００８２】
以上のように成形された床仕上げ材１は、不純物が成形品全体に対して合計で２０ｗｔ％以下含まれているので、押出成形等の成形性が良くなるとともに、不純物を比較的多く含んでいるので、資源の有効利用や環境保護の観点からも優れている。また、木質廃材のうちの木質部分が成形品全体に対して５１〜５５ｗｔ％含まれているので、木質廃材粉砕粉のうちの木粉を、成形品全体に対して５１〜５５ｗｔ％含ませることができ、本物の木材により近い手触り等の風合いを出すことができるとともに、利用する木質部分が多いので、木質廃材の再利用率を向上させることができる。
【００８３】
さらに、樹脂廃材のうちの樹脂部分が成形品全体に対して２５〜３０ｗｔ％含まれているので、樹脂廃材粉砕粉のうちの樹脂粉を、成形品全体に対して２５〜３０ｗｔ％含ませることができ、成形品の強度や硬度を十分に得ることができるとともに、押出成形等の成形性を向上させることができる。また、木粉１０２の粒径が１〜３００μｍであるので、押出成形等の成形性がよく、木粉を成形品全体に均一に分散させることができるとともに、成形品の表面に木粉の細かい粒子が出現するので、該表面が滑らかになり、成形後の表面処理を容易に行うことができる。
【００８４】
さらに、木粉の表面に微粉末を担持させて固定粒とし、この固定粒を含む木質廃材粉砕粉と、不純物を含む樹脂廃材から得られた樹脂廃材粉砕粉とを混錬して成形しているので、通常の木質材料よりも水分を吸収し難く、メンテナンスを容易にすることができるものである。すなわち、外観上は木目模様を呈することができて木製品と同様の外観を形成することができるが、耐水性に関しては木製品と比較してはるかに水に強い床仕上げ材１を提供できる。
【００８５】
また、上述したように本実施の形態にかかる床仕上げ材１の製造方法は、木質廃材と樹脂廃材とを混合した後に粉砕しているため、木質廃材粉砕粉と樹脂廃材粉砕粉とを、それぞれ専用の製造ラインを形成する必要がなく、混合工程から成形工程までを一つのラインとして形成することができる。これにより、木質廃材粉砕粉と樹脂廃材粉砕粉との専用ラインを設ける場合と比較して、工程ラインを設置するスペースを減少させることができ、粉砕機械等の使用機械も少なくすることができる。さらに、各工程ラインを管理する作業者も減少させることができて、製造コストを減少させることができる。また、一つの粉砕機械を使用して、木質廃材の粉砕と、樹脂廃材の粉砕とを時間をずらして行う場合と比較して、工程に必要な時間を短縮することができ、木質廃材と樹脂廃材とで両者の切替時の清掃作業も不要となって作業効率を向上させることができる。また、床仕上げ材１を容易に製造することができる。
【００８６】
さらに、混合工程において、不純物の濃度を２０ｗｔ％以下に設定し、木質部分の濃度を５１〜５５ｗｔ％に設定し、樹脂部分の濃度を２５〜３０ｗｔ％に設定しているので、木質廃材粉砕粉のうちの木粉を、成形品全体に対して容易かつ確実に５１〜５５ｗｔ％含ませることができるとともに、樹脂廃材粉砕粉のうちの樹脂粉を、成形品全体に対して容易かつ確実に２５〜３０ｗｔ％含ませることができる。これにより、本物の木材により近い手触り等の風合いを出すことができるとともに、成形品の強度や硬度を十分に得ることができ、さらには、押出成形等の成形性を向上させることができる。
【００８７】
また、成形工程における成形温度を１６０〜２２０度に設定したので、粉砕工程において得られた木質廃材粉砕粉のうちの木粉を成形工程において熱で変化させることなく、しかも、樹脂廃材粉砕粉のうちの樹脂粉を十分に溶融し軟化させて、木粉と均等に混錬することができ、これによって、床仕上げ材１を容易かつ確実に得ることができる。
【００８８】
なお、上述した床仕上げ材１の製造方法は、木質廃材と樹脂廃材とを混合工程において、混合した後、粉砕工程において、一次粉砕、二次粉砕及び三次粉砕と粉砕し、次の混練工程に進めているが、木質廃材と樹脂廃材とを混合する前に各部材毎に一次粉砕のみ施して、その後、混合し、二次粉砕及び三次粉砕と粉砕を進めて、次の混練工程に進めるようにしても良いものである。これにより、混合工程において、投入容器に充填する各部材の塊の大きさが均一となり、各部材を投入容器内部に均一かつ密に充填することができ、投入容器の容量による測定精度を格段に向上させることができる。
【００８９】
また、前記床仕上げ材１の表面１ｃには多数の筋状の模様１０…が形成され、この床仕上げ材１の表面１ｃを研磨して床仕上げ処理を施しているので、樹脂を含む押出材にて成形されても、天然の材料を用いて製造された床仕上げ材の感触により近い床仕上げ材１とすることができる。
【００９０】
次に、図１５を参照して、本発明にかかる床仕上げ材１の第２の実施の形態について説明する。図１５は、本実施の形態における床仕上げ材１の断面図である。図１５に示すように、床仕上げ材１の内部には複数の中空部４…が形成されており、下面には、複数の凹部３…が所定間隔を設けて形成されており、前記中空部４…と凹部３とに機能性部材を挿入または嵌入して固定している。前記機能性部材は、補強部材９１、遮音部材９２、床暖房部材９３，９４のうちから選択されたものである。図１５の（ｂ１）には、凹部３，３に床暖房部材としての温水管１２，１２が嵌入されており、一部の中空部４…には、補強部材９１…が挿入されている。一方、図１５（ｂ２）では、中空部４…は空洞とし、凹部３…には、補強部材９１…がはめ込まれている。なお、（ｂ１）と（ｂ２）とに示す床仕上げ材１，１は幅が異なっている。このように、押出成形時に、床仕上げ材１の幅が調整可能となっている。
【００９１】
本実施の形態における床仕上げ材１，１では、中空部４…以外に、下面に凹部３…に、機能性部材を別途設けるので、中空部４…と凹部３…とに異なる種類の機能性部材を配設することが可能となる。したがって、図１５の（ｂ１）においては、中空部４…は、一部に補強部材９１を挿入して、他の中空部４…は機能性部材を備えずに空洞とし、凹部３，３に温水管１２，１２を備えたので、温水管１２，１２による床暖房の機能と、補強部材９１による曲げ強度を補強する機能と、空洞とした中空部４…による防音、保温の機能を兼ね備えた床仕上げ材１とすることができる。また、図１５の（ｂ２）では、中空部４…は、機能性部材を備えずに空洞とし、凹部３…に補強部材９１を備えているので、防音効果および保温効果と曲げ強度が補強された床仕上げ材１とすることができる。
【００９２】
なお、本実施の形態で示した、中空部４…と凹部３とに備える機能性部材の組み合わせに限定するものではなく、所望の機能の組み合わせが可能である。
【００９３】
続いて、次に、図１６を参照して、本発明にかかる床仕上げ材１の第３の実施の形態について説明する。図１６は、本実施の形態における床仕上げ材１の断面図である。図１６に示すように、床仕上げ材１の下面には、下方へ向けて開口する凹部３を設け、この凹部３の内側よりやや小さい大きさの直方体の床暖房ユニット１１を、該凹部３に嵌め込んでいる。この床暖房ユニット１１の上下面には、アルミ板１３ａ，１３ｂを設けている。すなわち、前記床暖房ユニット１１の上面には、該床暖房ユニット１１の上面の面積と等しい大きさのアルミ板１３ａを、床暖房ユニット１１と床仕上げ材１の下面との間に挟むようにして配設されている。また、床暖房ユニット１１の下面に設けるアルミ板１３ｂは、床仕上げ材１の下面と面一となっており、床仕上げ材１の下面の面積に等しい面積のアルミ板１３ｂを、床パネル３１と、床仕上げ材１および床暖房ユニット１１との間に挟むようにして設けている。
【００９４】
本実施の形態における床仕上げ材１によれば、前記アルミ板１３ａ，１３ｂによって、床暖房ユニット１１から放熱される熱の伝播を促進でき、床仕上げ材１の全域に、熱を効率的に伝えることができる。なお、この床暖房部材本体１１内の複数の穴１４に、温水管１２に接するようにして金属箔（図示しない）を設ける方法を用いても良い。
【００９５】
次に、図１７を参照して、本発明にかかる床仕上げ材１の第４の実施の形態について説明する。図１７は、機能性部材と床仕上げ材１とを一体成形した床仕上げ材１を示す断面図である。この図１７において、符号２２は床仕上げ材本体、符号１１は機能性部材ユニット１１であり、この床仕上げ材本体２２と機能性部材ユニット１１とが一体成形されて、床仕上げ材１を構成している。
【００９６】
床仕上げ材本体２２は薄い平板状をなし、両側端部の上部２２ａ，２２ａが面取りされた状態となるように押出成形されている。また、機能性部材ユニット１１は、補強部材、遮音部材、床暖房部材等の中から所望の機能性部材を中空部１２…に備えており、この機能性部材ユニット１１の側端部は、一方が凸部１１ａを形成し、他方が略Ｌ字状の凸部１１ｂを形成している。凹部１１ｂは、その上方を前記床仕上げ材本体２２が覆うことにより溝部１１ｃを形成している。隣り合う床仕上げ材１，１どうしの、それぞれの前記凸部１１ｂと凸部１１ａとを接合させて、床仕上げ材１，１どうしを連結するようになっている。
【００９７】
本実施の形態における床仕上げ材１によれば、床仕上げ材本体２２と、機能性部材ユニット１１とが一体成形されているので、床仕上げ材１に、機能性部材を取り付ける作業を軽減することができる。また、平板状の前記床仕上げ材本体２２が平板状であるので、前記機能性部材ユニット１１の上面と取り付ける構成が簡易となり、汎用性の高く、床仕上げ材１の加工を容易に行うことができる。
【００９８】
【発明の効果】
以上説明したように、本発明によれば、床仕上げ材の内部には押出方向に延在する中空部により、床仕上げ材内部に空間が形成される。この中空部により、防音効果と、保温効果を得ることができる。さらに、前記床仕上げ材の表面には床仕上げ処理が施されているので、樹脂を含む押出材にて成形されても、天然の材料を用いて製造された床仕上げ材の感触により近い床仕上げ材とすることができる。また、床仕上げ材は、押出材を押出成形してなるので、押出方向において所望の長さに製造することができ、長スパンの床仕上げ材を提供することができる。また、断面を様々な形状に成形できる。
また、床仕上げ材に形成された溝部と突起部とにより、互いに隣接する床仕上げ材どうしを接合するので、接合位置を誘導でき、容易に所定の位置で接合することができる。
【図面の簡単な説明】
【図１】本発明にかかる床仕上げ材の一例を示す断面図である。
【図２】本発明にかかる床仕上げ材の一部を１０倍に拡大した際の部分断面図である。
【図３】同、５００倍に拡大した部分拡大図である。
【図４】本実施の形態における床仕上げ材を成形する押出材の原料配合例の割合を示すベン図である。
【図５】床仕上げ材における樹脂部分、不純物部分及び木質部分の割合の具体例を示す図である。
【図６】本発明にかかる床仕上げ材の一例を示す図であって、（ａ１），（ａ２）は中空部に補強部材を備えた床仕上げ材の断面図、（ａ３）は中空部に遮音部材を備えた床仕上げ材の断面図、（ａ４）は中空部に床暖房部材を備えた床仕上げ材の断面図である。
【図７】図１に示す床仕上げ材の端部の一例を示す図であり、（ｃ）は凸部の断面図、（ｄ）は凹部の断面図である。
【図８】図７に示す床仕上げ材どうしの接続構造を示す断面図である。
【図９】図８に示す接合構造の床仕上げ材１，１が膨張した状態を示す断面図である。
【図１０】床仕上げ材の端部の第２の実施の形態の例を示す図であり、（ｅ）は凸部の断面図、（ｆ）は凹部の断面図である。
【図１１】図１０に示す床仕上げ材どうしの接続構造を示す断面図である。
【図１２】床仕上げ材の端部床仕上げ材どうしの接続構造の第３の実施の形態の例を示す断面図である。
【図１３】本発明にかかる床仕上げ材の筋状の模様を示す断面図である。
【図１４】本発明にかかる床仕上げ材の表面処理を説明するための斜視図である。
【図１５】本発明にかかる第２の実施の形態における床仕上げ材を示す図であって、床仕上げ材の下面に床暖房部材を備えた床仕上げ材の断面図である。
【図１６】本発明にかかる第３の実施の形態における床仕上げ材を示す断面図である。
【図１７】本発明にかかる第４の実施の形態における床仕上げ材を示す断面図である。
【符号の説明】
１　床仕上げ材
１ａ，１ｂ　端部
１ｃ　表面
４　中空部
１０　筋状の模様
５２，７２，９２　突起部
５２ａ　上面
５２ｂ　下面
５２ｃ　先端
５２ｄ　目地部
４２，６２，８２　溝部
４２ｂ　下面
９１　補強部材（機能性部材）
９２　遮音部材（機能性部材）
９３，９４　床暖房部材（機能性部材）
１０３　樹脂
１０７　不純物
Ｓ　隙間
【図１】
2004003344.tif 000003
【図２】
2004003344.tif 000004
【図３】
2004003344.tif 000005
【図４】
2004003344.tif 000006
【図５】
2004003344.tif 000007
【図６】
2004003344.tif 000008
【図７】
2004003344.tif 000009
【図８】
2004003344.tif 000010
【図９】
2004003344.tif 000011
【図１０】
2004003344.tif 000012
【図１１】
2004003344.tif 000013
【図１２】
2004003344.tif 000014
【図１３】
2004003344.tif 000015
【図１４】
2004003344.tif 000016
【図１５】
2004003344.tif 000017
【図１６】
2004003344.tif 000018
【図１７】
2004003344.tif 000019